(57)【要約】【課題】安定した一定の力で容易に引き裂いて、開封することができ、且つ、開封後、指で摘みやすく、口開きを容易にした包装袋を提供する。【解決手段】表フィルムと裏フィルムを重ね合わせ、重ね合わせた前記表フィルムと前記裏フィルムの周縁部をシールした包装袋であって、前記表フィルムと前記裏フィルムのそれぞれに、前記包装袋の両端点で略一致する開封予定線を弱化線で設け、該開封予定線が、上に凸がひとつの曲線、下に凸がひとつの曲線、または、直線のいずれかからなり、前記表フィルムの前記開封予定線と前記裏フィルムの前記開封予定線が前記包装袋の左右の前記両端点以外の中間部では、上下方向に互いに重ならないようにずれていて、上下方向の最大のずれが１ｍｍを超え、３ｍｍ以下であることを特徴とする。【選択図】図１
2012012103.tif 000002
【特許請求の範囲】
【請求項１】
表フィルムと裏フィルムを重ね合わせ、重ね合わせた前記表フィルムと前記裏フィルムの周縁部をシールした包装袋であって、
前記表フィルムと前記裏フィルムのそれぞれに、前記包装袋の両端点で略一致する開封予定線を弱化線で設け、該開封予定線が、上に凸がひとつの曲線、下に凸がひとつの曲線、または、直線のいずれかからなり、前記表フィルムの前記開封予定線と前記裏フィルムの前記開封予定線が前記包装袋の左右の前記両端点以外の中間部では、上下方向に互いに重ならないようにずれていて、上下方向の最大のずれが１ｍｍを超え、３ｍｍ以下であることを特徴とする包装袋。
【請求項２】
引張試験機の上下のつかみ具に、前記包装袋の一端部で前記開封予定線の上下に位置する前記端部をそれぞれ固定し、５００ｍｍ／ｍｉｎ±１０％の速度で引張り、未シール部が引き裂かれるときの引裂力が、３．０Ｎから、７．０Ｎの間であることを特徴とする請求項１に記載の包装袋。
【発明の詳細な説明】
【技術分野】
【０００１】
本発明は、包装袋に関するものである。
【背景技術】
【０００２】
従来から、内容物を収容した包装袋を開封しやすくするために、包装袋の開封予定線の左右両端部、または、いずれかの端部にノッチを設け、開封予定線に直線状のハーフカットを包装袋の表裏２枚のフィルムそれぞれに設けた包装袋があった。これらの包装袋は、ノッチの上下それぞれを指で摘んで、直線状のハーフカットに沿って引っ張ると容易に引き裂かれて開封することができる。
【０００３】
しかし、このような包装袋は容易に開封できるが、内容物を取り出したりするために口を開こうとすると、包装袋の引き裂かれた開封線が、表裏のフィルムで同一位置にあるために、口開きするために、指で表裏のフィルムをそれぞれ摘もうとしても、重なり合った表裏フィルムの間に指を入れることが難しく、容易に口開きさせることができなかった。
【０００４】
これを回避するために、表フィルムと裏フィルムに、異なる開封予定線を設けて、開封後の開封線が表裏のフィルムで同一位置にならないようにして、指で摘みやすく、口開きを容易にした包装袋があった。
【０００５】
例えば、図５のように、開封予定線に沿って、略ハの字型をなすように傾斜した２つの対をなす切れ目を所要間隔の断続状に形成した切れ目線４１をハーフカットにより、包装袋４０の表フィルム２と裏フィルム３に波形に形成して、表フィルム２と裏フィルム３の波のピッチを相互に交差するようにするか、あるいは、片側のフィルムのみ波形の変形ミシン目状の切目線を設けて、他方のフィルムには、概略直線状の変形ミシン目状の切目線を形成し、開封後の表フィルムと裏フィルムの開封線が完全には重ならず、開口部の口開きを容易した包装袋４０があった（特許文献１）。
【０００６】
また、図６のように、包装袋５０の表フィルム２と裏フィルム３のそれぞれ、表側開封予定線６と裏側開封予定線７をハーフカット線で、包装袋５０の左右両端より内方に向かって直線状に設け、表側開封予定線６は直線の両端を結ぶ、上に凸の曲線を設け、裏側開封予定線７は直線の両端を結ぶ、下に凸の曲線を設け、開封後、容易に摘んで開口することができるようにした包装袋５０があった（特許文献２）。
【０００７】
公知文献を以下に示す。
【先行技術文献】
【特許文献】
【０００８】
【特許文献１】特開２００１−２４００７４号公報
【特許文献２】特開２００５−２８９３９６号公報
【発明の概要】
【発明が解決しようとする課題】
【０００９】
前述のこれらの包装袋は、開封予定線が、連続しないハーフカットによる切れ目により設けられているので、引裂くのに強い力が必要であったり、開封予定線から、引裂いた開封線が外れてしまったりする恐れがあった。
【００１０】
あるいは、開封予定線が、直線と曲線がつながっているので、その結合点で引裂いた開封線が開封予定線から外れてしまうことがあった。そのため、引き裂きに要する力が安定せず、引き裂くのに強い力を必要とすることがあった。
【００１１】
本発明は、安定した一定の力で容易に引き裂いて、開封することができ、且つ、開封後、指で摘みやすく、口開きを容易にした包装袋を提供することを課題とする。
【課題を解決するための手段】
【００１２】
本発明は係る課題に鑑みなされたものであり、請求項１の発明は、表フィルムと裏フィルムを重ね合わせ、重ね合わせた前記表フィルムと前記裏フィルムの周縁部をシールした包装袋であって、
前記表フィルムと前記裏フィルムのそれぞれに、前記包装袋の両端点で略一致する開封予定線を弱化線で設け、該開封予定線が、上に凸がひとつの曲線、下に凸がひとつの曲線、または、直線のいずれかからなり、前記表フィルムの前記開封予定線と前記裏フィルムの前記開封予定線が前記包装袋の左右の前記両端点以外の中間部では、上下方向に互いに重ならないようにずれていて、上下方向の最大のずれが１ｍｍを超え、３ｍｍ以下であることを特徴とする包装袋である。
【００１３】
本発明の包装袋は、以上のような構成であって、表フィルムと裏フィルムのそれぞれに、包装袋の両端点で略一致する開封予定線を弱化線で設け、開封予定線が、上に凸がひとつの曲線、下に凸がひとつの曲線、または、直線のいずれかからなっていて、且つ、表フィルムの開封予定線と裏フィルムの開封予定線が包装袋の左右の両端点以外の中間部では、上下方向に互いに重ならないようにずれていて、上下方向の最大のずれが１ｍｍを超え、３ｍｍ以下であるので、開封するときに、開封予定線から引裂いた開封線が外れることがなく、安定した一定の力で容易に引き裂いて、開封することができる。
【００１４】
また、表フィルムの開封予定線と裏フィルムの開封予定線の端点以外の中間部での上下方向のずれが、上下方向の最大のずれで１ｍｍを超え、３ｍｍ以下にあるので、開封後、引裂いた開封線において、表フィルムか裏フィルムを指で引っ掛けて摘むことができ、口開きが容易である。
【００１５】
本発明の請求項２の発明は、引張試験機の上下のつかみ具に、前記包装袋の一端部で前記開封予定線の上下に位置する前記端部をそれぞれ固定し、５００ｍｍ／ｍｉｎ±１０％の速度で引張り、未シール部が引き裂かれるときの引裂力が、３．０Ｎから、７．０Ｎの間であることを特徴とする請求項１に記載の包装袋である。
【００１６】
本発明はさらに、引張試験機の上下のつかみ具に、包装袋の一端部で開封予定線の上下に位置する端部、あるいは、端部に取り付けた延長片をそれぞれ固定し、５００ｍｍ／ｍｉｎ±１０％の速度で引張ったときに、未シール部が引き裂かれるときの引裂力が、３．０Ｎから、７．０Ｎの間であるので、より一層安定した一定の力で容易に引き裂いて、開封することができる。
【発明の効果】
【００１７】
本発明の包装袋は、以上のように、安定した一定の力で容易に引き裂いて、開封することができる。また、開封後、引裂いた開封線において、表フィルムか裏フィルムを指で引っ掛けて摘むことができ、口開きが容易である。
【図面の簡単な説明】
【００１８】
【図１】本発明の包装袋の一例を模式的に示した正面図である。
【図２】本発明の包装袋の他の例を模式的に示した正面図である。
【図３】本発明の包装袋のさらに他の例を模式的に示した正面図である。
【図４】本発明の包装袋のまたさらに他の例を模式的に示した正面図である。
【図５】従来の包装袋の一例を模式的に示した正面図である。
【図６】従来の包装袋の他の例を模式的に示した正面図である。
【発明を実施するための形態】
【００１９】
以下本発明を実施するための形態につき説明する。
図１は、本発明の包装袋の一例を模式的に示した説明図である。
本例の包装袋１は、表フィルム２と裏フィルム３を重ね合わせ、重ね合わせた表フィルム２と裏フィルム３の周縁部をシールした包装袋１である。
【００２０】
表フィルム２と裏フィルム３のそれぞれに、包装袋の両端部の左サイドシール部４の左側端点ＬＰ、及び、右サイドシール部５の右側端点ＲＰで略一致し、左右の端点ＬＰおよびＲＰ以外の中間部では、互いに重ならないように上下方向にずれている表側開封予定線６と裏側開封予定線７を弱化線で設けてある。弱化線は、本例では実線状のハーフカット線が、設けられている。
【００２１】
本例の包装袋１では、表側開封予定線６が上に凸がひとつの曲線で、包装袋１の両端部の左サイドシール部４、及び、右サイドシール部５の各端部より緩やかに曲線を描いて設けられている。そして裏側開封予定線７は、下に凸がひとつの曲線で、包装袋の両端部の左サイドシール部４、及び、右サイドシール部５の各端部より緩やかに曲線を描いて設けられ、表側開封予定線６と裏側開封予定線７は、包装袋１の両端点で略一致するように設けられている。
【００２２】
そして、表側開封予定線６と裏側開封予定線７は、端点以外の包装袋の左右方向の中間部で、互いに重ならないように上下方向にずれていて、上下方向の最大のずれＡが１ｍｍを超え、３ｍｍ以下になるようになっている。
【００２３】
そのように、表側開封予定線６が上に凸がひとつの緩やかな曲線で設けられ、裏側開封予定線７が下に凸がひとつの緩やかな曲線で設けられているので、開封するときに、開封予定線６、７から開封線が外れることがなく、安定した一定の力で容易に引き裂いて、開封することができる。また、端点以外では開封予定線６、７が重ならないので、開封後、開封した開封線から、表フィルム２か裏フィルム３を指で摘みやすく、口開きが容易である。
【００２４】
図２は、本発明の包装袋の他の例を模式的に示した正面図である。
本例の包装袋１０は、表フィルム２と裏フィルム３を重ね合わせ、重ね合わせた表フィルム２と裏フィルム３の周縁部をシールした包装袋１０である。
【００２５】
表フィルム２と裏フィルム３のそれぞれに、包装袋の両端部の左サイドシール部４の左側端点ＬＰ、及び、右サイドシール部５の右側端点ＲＰで略一致する表側開封予定線６と裏側開封予定線７を弱化線で設けてある。弱化線は、本例では実線状のハーフカット線が、設けられている。
【００２６】
本例の包装袋１０では、表側開封予定線６が上に凸がひとつの曲線で、包装袋１０の両端部の左サイドシール部４、及び、右サイドシール部５の各端点より緩やかに曲線を描いて設けられている。そして裏側開封予定線７は、直線で、包装袋の両端部の左サイドシール部４の端点から右サイドシール部５の端点まで設けられ、表側開封予定線６と裏側開封予定線７は、包装袋１０の両端点で略一致するように設けられている。
【００２７】
そして、表側開封予定線６と裏側開封予定線７は、包装袋の左右方向の端点以外の中間部で、互いに重ならないように上下方向にずれていて、端点以外では表側開封予定線６と裏側開封予定線７が重ならないように形成されている。また、それらの上下方向の最大のずれＡが１ｍｍを超え、３ｍｍ以下になるようになっている。
【００２８】
そのように、表側開封予定線６が上に凸がひとつの緩やかな曲線で設けられ、裏側開封予定線７が直線で設けられているので、開封するときに、開封予定線６、７から開封線が外れることがなく、安定した一定の力で容易に引き裂いて、開封することができる。また、端点以外では開封予定線６、７が重ならないので、開封後、開封した開封線から、表フィルム２か裏フィルム３を指で摘みやすく、口開きが容易である。
【００２９】
図３は、本発明の包装袋の他の例を模式的に示した正面図である。
本例の包装袋２０は、表フィルム２と裏フィルム３を重ね合わせ、重ね合わせた表フィルム２と裏フィルム３の周縁部をシールした包装袋２０である。
【００３０】
表フィルム２と裏フィルム３のそれぞれに、包装袋２０の両端部の左サイドシール部４の左側端点ＬＰ、及び、右サイドシール部５の右側端点ＲＰで略一致する表側開封予定線６と裏側開封予定線７を弱化線で設けてある。弱化線は、本例では実線状のハーフカット線が設けられている。
【００３１】
本例の包装袋２０では、表側開封予定線６が下に凸がひとつの曲線で、包装袋２０の両端部の左サイドシール部４、及び、右サイドシール部５の各端点ＬＰおよびＲＰより緩やかに曲線を描いて設けられている。そして裏側開封予定線７は、直線で、包装袋２０の両端部の左サイドシール部４の左側端点ＬＰから右サイドシール部５の右側端点ＲＰまで設けられ、表側開封予定線６と裏側開封予定線７は、包装袋２０の両端点ＬＰおよびＲＰで略一致するように設けられている。
【００３２】
そして、表側開封予定線６と裏側開封予定線７は、包装袋２０の左右方向の端点ＬＰおよびＲＰ以外の中間部で、互いに重ならないように上下方向にずれていて、端点ＬＰおよびＲＰ以外では表側開封予定線６と裏側開封予定線７が重ならないように形成されている。また、それらの上下方向の最大のずれＡが１ｍｍを超え、３ｍｍ以下になるようになっている。
【００３３】
そのように、表側開封予定線６が下に凸がひとつの緩やかな曲線で設けられ、裏側開封予定線７が直線で設けられているので開封するときに、開封予定線６、７から開封線が外れることがなく、安定した一定の力で容易に引き裂いて、開封することができる。また、端点以外では開封予定線６、７が重ならないので、開封後、開封した開封線から、表フィルム２か裏フィルム３を指で摘みやすく、口開きが容易である。
【００３４】
上記の例では、ノッチを設けていないが、ノッチを設けても良い。包装袋１、１０、２０の両端部の左サイドシール部４の端部、及び、右サイドシール部５の端部にそれぞれノッチを設けて、それぞれのノッチの内方側の端点ＬＰおよびＲＰで略一致する、表側開封予定線６と裏側開封予定線７を設ければよい。
【００３５】
また、表側開封予定線６と裏側開封予定線７を、上に凸がひとつの曲線、下に凸がひとつの曲線、または、直線の組み合わせで設けているが、上に凸がひとつの曲線同士の組み合わせ、下に凸がひとつの曲線同士の組み合わせでもよい。そして、表側開封予定線６と裏側開封予定線７が端点以外の包装袋の中間部で上下方向にずれていて、上下方向の最大のずれＡが１ｍｍを超え、３ｍｍ以下であればよい。
【００３６】
さらに、本発明において、袋の形状も特にこだわらない。上記の例では４方シール袋であるが、１枚のフィルムを折り返して、折り返し部以外の端部をシールした、３方シール袋でも良い。また、底部に底フィルムを折り返して差込み、シールした底ガゼット袋でも良いし、あるいは、底部に底フィルムを折り返して差込み、底部に船形シール部を設けたスタンディングパウチでも良い。
【００３７】
図４は、本発明の包装袋のまたさらに他の例を模式的に示した正面図である。
本例の包装袋３０は、ガゼット部８を設けた底ガゼット袋である。包装袋３０の両端部の左サイドシール部４、及び、右サイドシール部５の端部にそれぞれノッチ９ａ、９ｂを設けて、それぞれのノッチ９ａ、９ｂの内方側の端点で略一致する、表側開封予定線６と裏側開封予定線７を設けて４ある。開口予定線６、７の形状は、図１の包装袋１と同一の形状である。
【実施例】
【００３８】
以下に、本発明の具体的実施例について説明する。
【００３９】
＜実施例１＞
２軸延伸ポリエチレンテレフタレートフィルム１２μｍを用意して、その裏面に絵柄印刷層と表面にマットニス層を設けた。その絵柄印刷層面に接着剤を介して、アルミニウムを蒸着した２軸延伸ポリエチレンテレフタレートフィルム１２μｍの蒸着面をドライラミネート法で貼り合わせ、さらに、アルミニウムを蒸着した２軸延伸ポリエチレンテレフタレートフィルムの非蒸着面に接着剤を介して、直鎖状低密度ポリエチレン７０μｍをドライラミネート法で貼り合わせ積層フィルムを得た。
【００４０】
この積層フィルムを用いて、４方シール袋（幅１４５ｍｍ、縦２５０ｍｍ）を作った。そして、表側開封予定線６と裏側開封予定線７を、炭酸ガスレーザーを用いて、実線状のハーフカット線を設けた。ハーフカット線は、表側の２軸延伸ポリエチレンテレフタレートフィルム１２μｍを切って、アルミニウムを蒸着した２軸延伸ポリエチレンテレフタレートフィルム１２μｍの蒸着したアルミニウムを切らないように設けた。
【００４１】
表側開封予定線６と裏側開封予定線７の形状を、図１のように、表側開封予定線６が、上に凸がひとつの曲線で、裏側開封予定線７が、下に凸がひとつの曲線で設け、表側開封予定線６と裏側開封予定線７が端点ＬＰおよびＲＰのみで重なるようにし、端点ＬＰおよびＲＰ以外の包装袋１の中間部では互いに重ならないようにし、それらの上下方向の最大のずれＡが３ｍｍとなるようにした。
【００４２】
＜実施例２＞
表側開封予定線６と裏側開封予定線７の形状を、図２のように、表側開封予定線６が、上に凸がひとつの曲線で、裏側開封予定線７が、直線で設け、表側開封予定線６と裏側開封予定線７が端点ＬＰおよびＲＰのみで重なるようにし、端点ＬＰおよびＲＰ以外の包装袋１０の中間部では互いに重ならないようにし、それらの上下方向の最大のずれＡが３ｍｍとなるようにした以外は、実施例１と同様にして４方シール袋を得た。
【００４３】
＜実施例３＞
表側開封予定線６と裏側開封予定線７の形状を、図３のように、表側開封予定線６が、下に凸がひとつの曲線で、裏側開封予定線７が、直線で設け、表側開封予定線６と裏側開封予定線７の包装袋２０の中間部での、上下方向の最大のずれＡが３ｍｍとなるようにした以外は、実施例１と同様にして４方シール袋を得た。
【００４４】
以下に本発明の比較例について説明する。
【００４５】
＜比較例１＞
表側開封予定線６と裏側開封予定線７の形状を、図５の切れ目線４１のように、開封予定線に沿って、略ハの字型をなすように傾斜した２つの対をなす切れ目を所要間隔の断続状に形成し、その複数本を上下に並べた切れ目線４１を表フィルム２と裏フィルム３に波形に形成して、表フィルム２と裏フィルム３の切れ目線４１の波の位相を二分の一波長ずらして、相互に交差するように設けた。それ以外は、実施例１と同様にして４方シール袋を得た。
【００４６】
＜比較例２＞
表側開封予定線６と裏側開封予定線７の形状を、図６のように、表側開封予定線６が、両端が直線で、中央部分が上に凸がひとつの曲線になるように設け、裏側開封予定線７が、両端が直線で、中央部分が下に凸がひとつの曲線になるように設けた。
【００４７】
表側開封予定線６と裏側開封予定線７の直線はそれぞれ重なるようにした。直線部分の長さは、それぞれ、３５ｍｍとした。また、表側開封予定線６と裏側開封予定線７の包装袋の中間部での、上下方向の最大のずれＡが３ｍｍとなるようにした。それ以外は、実施例１と同様にして４方シール袋を得た。
【００４８】
実施例１から３、および、比較例１から２の包装袋について、引裂力を評価した。
【００４９】
＜引裂力＞
実施例１から３、および、比較例１から２の包装袋について、それぞれ、開封予定線６、７が中央になるようにして、横方向に幅５０ｍｍで切取り、それぞれの例のサンプルとし、引張試験機で下記のように測定を行った。
【００５０】
サンプルの左側の端部のシール部の開封予定線を引き裂いて、引き裂いた端部のシール部の上側を上部のつかみ具に、下側を下部のつかみ具に固定して、５００ｍｍ／ｍｉｎ（公定誤差範囲±１０％）で引張り、引裂力を測定した。
【００５１】
尚、シール部が狭く、つかみ具で固定しにくいときは、端部のシール部に延長片を取り付け、延長片をつかみ具に固定して引張り、引裂力を測定してもよい。また、測定に当たっては、ＪＩＳ：Ｋ７１２８を参考にした。
【００５２】
＜測定結果＞
実施例１から３は、いずれも、引裂力の最大値が、５．１Ｎから５．５Ｎの間に入っていた。一方、比較例１は、引裂力の最大値が、７．５Ｎから１０Ｎであった。また、比較例２は、直線部分では、５．１Ｎから５．５Ｎの間に入っていたが、直線部分から曲線部分になる点で、表側開封予定線６あるいは裏側開封予定線７から、開封線がずれてしまうものがあった。開封線が開封予定線６、７からずれてしまったサンプルについては、引裂力の最大値が、９．０Ｎから１０Ｎの間になってしまった。
【００５３】
＜比較結果＞
上記のように、比較例１は、引裂力の最大値が大きく開けにくく、比較例２は、包装袋の開封した線の開封線が開封予定線からずれたときに、引裂力の最大値が大きくなり、安定した力で開封することができず、開けにくい。他方、実施例１から３は、安定した一定の力で引き裂いて容易に、開封することができ、且つ、開封後、指で摘みやすく、口開きが容易であった。
【符号の説明】
【００５４】
１、１０、２０、３０・・・包装袋
２・・・表フィルム
３・・・裏フィルム
４・・・左サイドシール部
５・・・右サイドシール部
６・・・表側開封予定線
７・・・裏側開封予定線
８・・・ガゼット部
９ａ、９ｂ・・・ノッチ
Ａ・・・開封予定線の上下方向の最大のずれ
ＬＰ・・・左側端点
ＲＰ・・・右側端点
【図１】
2012012103.tif 000003
【図２】
2012012103.tif 000004
【図３】
2012012103.tif 000005
【図４】
2012012103.tif 000006
【図５】
2012012103.tif 000007
【図６】
2012012103.tif 000008